(57)【要約】【課題】  メモリにおいて多大な記憶領域を占有することなくかつ設定操作を毎回行うことなく、アニメーション表示の表示パターン数を増大可能な携帯電話機を提供する。【解決手段】  キャラクタ演出手段１２１は電話発信後の終話ボタン押下時、電話着信の際の終話ボタン押下時、不在着信や新着メールあり時、上側筐体と下側筐体とを閉状態から開状態にした時各々のイベント画面でキャラクタの演出を行う。キャラクタ演出手段１２１はどのようなキャラクタを表示するかを、発信履歴、発信時の時刻、着信履歴、着信時の時刻、筐体開閉検知機構１９による上側筐体と下側筐体とが開状態となった時刻からそれぞれ判断し、決定したキャラクタを表示部１６の表示画面に表示する。【選択図】      図１
2006222995.tif 000002
【特許請求の範囲】
【請求項１】
予め記憶された複数のキャラクタのいずれかをアニメーション表示可能な携帯電話機であって、自端末の各種イベントが検出された時に当該イベントに関連する所定動作の発生時刻とに応じて前記キャラクタのアニメーション表示を制御するキャラクタ演出手段を有することを特徴とする携帯電話機。
【請求項２】
前記キャラクタ演出手段は、前記所定動作の発生時刻が奇数の場合と偶数の場合とにおいて異なるパターンとなるように前記キャラクタのアニメーション表示を制御することを特徴とする請求項１記載の携帯電話機。
【請求項３】
前記キャラクタ演出手段は、スケジュール機能に予め設定された特定の日付情報に応じて前記キャラクタのアニメーション表示を制御することを特徴とする請求項１または請求項２記載の携帯電話機。
【請求項４】
キー操作部を含む第１の筐体と、前記第１の筐体に開閉自在に接続する第２の筐体と、前記第１及び第２の筐体の開閉状態を検知する検知手段とを含み、
前記キャラクタ演出手段は、前記検知手段による前記第１及び第２の筐体における開閉状態の変化の検知結果に応じて前記キャラクタのアニメーション表示を制御することを特徴とする請求項１から請求項３のいずれか記載の携帯電話機。
【請求項５】
予め記憶された複数のキャラクタのいずれかをアニメーション表示可能な携帯電話機であって、メール送信の時刻及び前記メール送信の成功不成功に応じて前記キャラクタのアニメーション表示を制御するキャラクタ演出手段を有することを特徴とする携帯電話機。
【請求項６】
前記キャラクタ演出手段は、前記メール送信の時刻が奇数の場合と偶数の場合とにおいて異なるパターンとなるように前記キャラクタのアニメーション表示を制御することを特徴とする請求項５記載の携帯電話機。
【請求項７】
前記キャラクタ演出手段は、スケジュール機能に予め設定された特定の日付情報に応じて前記キャラクタのアニメーション表示を制御することを特徴とする請求項５または請求項６記載の携帯電話機。
【請求項８】
予め記憶された複数のキャラクタのいずれかをアニメーション表示可能な携帯電話機のキャラクタ表示演出方法であって、自端末の各種イベントを検出するステップと、前記イベントが検出された時に当該イベントに関連する所定動作の発生時刻とに応じて前記キャラクタのアニメーション表示を制御するステップとを有することを特徴とするキャラクタ表示演出方法。
【請求項９】
前記キャラクタのアニメーション表示を制御するステップは、前記所定動作の発生時刻が奇数の場合と偶数の場合とにおいて異なるパターンとなるように前記キャラクタのアニメーション表示を制御することを特徴とする請求項８記載のキャラクタ表示演出方法。
【請求項１０】
前記キャラクタのアニメーション表示を制御するステップは、スケジュール機能に予め設定された特定の日付情報に応じて前記キャラクタのアニメーション表示を制御することを特徴とする請求項８または請求項９記載のキャラクタ表示演出方法。
【請求項１１】
前記キャラクタのアニメーション表示を制御するステップは、キー操作部を含む第１の筐体と、前記第１の筐体に開閉自在に接続する第２の筐体とにおける開閉状態の変化の検知結果に応じて前記キャラクタのアニメーション表示を制御することを特徴とする請求項８から請求項１０のいずれか記載のキャラクタ表示演出方法。
【請求項１２】
予め記憶された複数のキャラクタのいずれかをアニメーション表示可能な携帯電話機のキャラクタ表示演出方法であって、メール送信の時刻及び前記メール送信の成功不成功に応じて前記キャラクタのアニメーション表示を制御するステップを有することを特徴とするキャラクタ表示演出方法。
【請求項１３】
前記キャラクタのアニメーション表示を制御するステップは、前記メール送信の時刻が奇数の場合と偶数の場合とにおいて異なるパターンとなるように前記キャラクタのアニメーション表示を制御することを特徴とする請求項１２記載のキャラクタ表示演出方法。
【請求項１４】
前記キャラクタのアニメーション表示を制御するステップは、スケジュール機能に予め設定された特定の日付情報に応じて前記キャラクタのアニメーション表示を制御することを特徴とする請求項１２または請求項１３記載のキャラクタ表示演出方法。
【請求項１５】
予め記憶された複数のキャラクタのいずれかをアニメーション表示可能な携帯電話機のキャラクタ表示演出方法のプログラムであって、コンピュータに、自端末の各種イベントを検出する処理と、前記イベントが検出された時に当該イベントに関連する所定動作の発生時刻とに応じて前記キャラクタのアニメーション表示を制御する処理とを実行させるためのプログラム。
【請求項１６】
予め記憶された複数のキャラクタのいずれかをアニメーション表示可能な携帯電話機のキャラクタ表示演出方法のプログラムであって、コンピュータに、メール送信の時刻及び前記メール送信の成功不成功に応じて前記キャラクタのアニメーション表示を制御する処理を実行させるためのプログラム。
【発明の詳細な説明】
【技術分野】
【０００１】
本発明は携帯電話機及びそれに用いるキャラクタ表示演出方法並びにそのプログラムに関し、特に携帯電話機の電源を入れた場合等のイベント画面におけるアニメーション表示に関する。
【背景技術】
【０００２】
従来、携帯電話機においては、ウェイクアップ時（携帯電話機の電源を入れた時）、着信時、発信時、メール送信時、メール受信時、折り畳み型における上側筐体と下側筐体とを開状態とした時（待ち受け時）等に、上記の各状態毎に設定されたアニメーション表示を行わせることで、それらの状態を一目で把握しやすくするような視覚効果を図っているものがある（例えば、非特許文献１参照）。
【０００３】
この場合、アニメーション表示としては、著名なキャラクタのアニメーションが採用されたり、あるいはユーザに好印象を与えるようなキャラクタのアニメーションが採用される傾向にある。
【０００４】
【非特許文献１】「待受画面を設定する」［ＮＴＴドコモ（Ｒ）、ムーバＮ２１１ｉ取扱説明書、機能解説編、第１３９頁、２００１年１１月］
【発明の開示】
【発明が解決しようとする課題】
【０００５】
上述した従来の携帯電話機では、ウェイクアップ時、着信時、発信時、メール送信時、メール受信時等の各状態毎にアニメーション表示を設定することで、選択したキャラクタのアニメーションを表示させることが可能となっている。
【０００６】
しかしながら、アニメーション表示を変更させる場合にはその都度、設定操作を行わなければならず、各機器毎に搭載されたメモリの容量の制約から、それ程多くのキャラクタを記憶させておくことができず、アニメーション表示が一旦設定されると、毎回、同一パターンのアニメーション表示が実行されることとなる。
【０００７】
したがって、従来の携帯電話機では、毎回、異なるパターンのアニメーション表示を実行させようとしても、そのアニメーション表示を実行させる毎に設定操作を必要とし、数多くの種類のアニメーション表示の画像を記憶させるのに、多大なメモリの記憶領域を必要とする。
【０００８】
そこで、本発明の目的は上記の問題点を解消し、メモリにおいて多大な記憶領域を占有することなくかつ設定操作を毎回行うことなく、アニメーション表示の表示パターン数を増大させることができる携帯電話機及びそれに用いるキャラクタ表示演出方法並びにそのプログラムを提供することにある。
【課題を解決するための手段】
【０００９】
本発明による携帯電話機は、予め記憶された複数のキャラクタのいずれかをアニメーション表示可能な携帯電話機であって、自端末の各種イベントが検出された時に当該イベントに関連する所定動作の発生時刻とに応じて前記キャラクタのアニメーション表示を制御するキャラクタ演出手段を備えている。
【００１０】
本発明による他の携帯電話機は、予め記憶された複数のキャラクタのいずれかをアニメーション表示可能な携帯電話機であって、メール送信の時刻及び前記メール送信の成功不成功に応じて前記キャラクタのアニメーション表示を制御するキャラクタ演出手段を備えている。
【００１１】
本発明によるキャラクタ表示演出方法は、予め記憶された複数のキャラクタのいずれかをアニメーション表示可能な携帯電話機のキャラクタ表示演出方法であって、自端末の各種イベントを検出するステップと、前記イベントが検出された時に当該イベントに関連する所定動作の発生時刻とに応じて前記キャラクタのアニメーション表示を制御するステップとを備えている。
【００１２】
本発明による他のキャラクタ表示演出方法は、予め記憶された複数のキャラクタのいずれかをアニメーション表示可能な携帯電話機のキャラクタ表示演出方法であって、メール送信の時刻及び前記メール送信の成功不成功に応じて前記キャラクタのアニメーション表示を制御するステップを備えている。
【００１３】
本発明によるキャラクタ表示演出方法のプログラムは、予め記憶された複数のキャラクタのいずれかをアニメーション表示可能な携帯電話機のキャラクタ表示演出方法のプログラムであって、コンピュータに、自端末の各種イベントを検出する処理と、前記イベントが検出された時に当該イベントに関連する所定動作の発生時刻とに応じて前記キャラクタのアニメーション表示を制御する処理とを実行させている。
【００１４】
本発明による他のキャラクタ表示演出方法のプログラムは、予め記憶された複数のキャラクタのいずれかをアニメーション表示可能な携帯電話機のキャラクタ表示演出方法のプログラムであって、コンピュータに、メール送信の時刻及び前記メール送信の成功不成功に応じて前記キャラクタのアニメーション表示を制御する処理を実行させている。
【００１５】
すなわち、本発明の携帯電話機は、電話発信後の終話ボタン押下時、電話着信の際の終話ボタン押下時、不在着信や新着メールあり時、上側筐体と下側筐体とを閉状態から開状態にした時各々のイベント画面において、どのようなキャラクタを表示するかを、発信履歴、発信時の時刻、着信履歴、着信時の時刻、筐体開閉検知機構による上側筐体と下側筐体とが開状態となった時刻からそれぞれ判断し、決定したキャラクタを表示部の表示画面に表示するというキャラクタの演出を行っている。
【００１６】
より具体的に説明すると、本発明の携帯電話機では、キャラクタ演出手段が、発信履歴内に存在する同一番号の数（宛先毎の発信履歴内における発信件数）にて登場キャラクタの３タイプの何れかに、発信時の時刻（分）（奇数または偶数）にて２パターンの何れかにそれぞれ決める。
【００１７】
また、本発明の携帯電話機では、キャラクタ演出手段が、着信履歴内に存在する同一番号の数（発信元毎の着信履歴内における着信件数）にて登場キャラクタの３タイプの何れかに、着信時の時刻（分）（奇数または偶数）にて２パターンの何れかにそれぞれ決める。
【００１８】
さらに、本発明の携帯電話機では、キャラクタ演出手段が、不在着信ありの場合及び新着メールありの場合に、筐体開閉検知機構によって上側筐体と下側筐体とが閉状態から開状態へ変化したことを検知すると、キャラクタを表示し、移動機開時の時刻（分）（奇数または偶数）にてキャラクタの２パターンの何れかに決める。
【００１９】
さらにまた、本発明の携帯電話機では、キャラクタ演出手段が筐体開閉検知機構によって上側筐体と下側筐体とが閉状態から開状態へ変化したことを検知すると、キャラクタ演出を行うが、携帯電話機開時の時刻（分）によってそのキャラクタ表示における表示条件を可変する。
【００２０】
一方、本発明の携帯電話機では、キャラクタ演出手段が、メール送信時に、現在時刻と、メール送信の成功不成功とに応じて、キャラクタのアニメーション表示を可変する。この場合、本発明の携帯電話機では、キャラクタ演出手段が、自端末内に設定した特定日（任意に設定可能）に、専用のアニメーション表示を行わせる。
【００２１】
これによって、本発明の携帯電話機では、メモリにおいて多大な記憶領域を占有することなくかつ設定操作を毎回行うことなく、アニメーション表示の表示パターン数を増大させることが可能となる。
【発明の効果】
【００２２】
本発明の携帯電話機は、予め記憶された複数のキャラクタのいずれかをアニメーション表示可能な携帯電話機において、自端末の各種イベントが検出された時に当該イベントに対応する履歴情報に応じてキャラクタのアニメーション表示を制御することによって、メモリにおいて多大な記憶領域を占有することなくかつ設定操作を毎回行うことなく、アニメーション表示の表示パターン数を増大させることができるという効果が得られる。
【００２３】
本発明の他の携帯電話機は、予め記憶された複数のキャラクタのいずれかをアニメーション表示可能な携帯電話機において、自端末の各種イベントが検出された時に当該イベントに関連する所定動作の発生時刻とに応じてキャラクタのアニメーション表示を制御することによって、メモリにおいて多大な記憶領域を占有することなくかつ設定操作を毎回行うことなく、アニメーション表示の表示パターン数を増大させることができるという効果が得られる。
【発明を実施するための最良の形態】
【００２４】
次に、本発明の実施例について図面を参照して説明する。図１は本発明の一実施例による携帯電話機の構成を示すブロック図である。図１において、折り畳み型携帯電話機１はアンテナ１１と、制御部１２と、メモリ１３と、タイマ１４と、キー操作部１５と、表示部１６と、無線部１７と、信号処理部１８と、筐体開閉検知機構１９と、記録媒体２０と、スピーカ２１と、マイク２２とから構成され、表示部１６を搭載する上側筐体（図示せず）と、キー操作部１５を搭載する下側筐体（図示せず）とをヒンジ等を用いて開閉自在に接続している。
【００２５】
尚、本実施例では折り畳み型携帯電話機１について説明するが、上側筐体と下側筐体との開状態及び閉状態における処理動作を除いて、上側筐体と下側筐体とが一体化された携帯電話機にも適用可能である。
【００２６】
アンテナ１１は電波の送受信を行い、キー操作部１５ではユーザが各種設定や暗証番号の操作、あるいは発着信の操作を行い、表示部１６は各種設定や暗証番号の操作、あるいは発着信の操作を行う際の操作メニューを表示する。無線部１７は無線関係の処理を行い、信号処理部１８は受信信号や送信信号を処理する。スピーカ２１は受信した音声を出力し、マイク２２は音声を入力する。
【００２７】
制御部１２はメモリ１３とタイマ１４とキー操作部１５と表示部１６と無線部１７と信号処理部１８とにそれぞれ接続され、それら各部の制御を行う。また、制御部１２は上述したウェイクアップ時（携帯電話機の電源を入れた時）、着信時、発信時、メール送信時、メール受信時、折り畳み型における上側筐体と下側筐体とを開状態とした時（待ち受け時）等においてアニメーション表示を行わせるキャラクタ演出手段１２１を備えている。
【００２８】
キャラクタ演出手段１２１はキャラクタ演出機能がＯＮに設定されている時、特定のイベント画面でキャラクタ及びコメント（メッセージ）を表示し、キャラクタ選択で選択されているキャラクタ［ＧＩＦ（Ｇｒａｐｈｉｃ  Ｉｎｔｅｒｃｈａｍｇｅ  Ｆｏｒｍａｔ）アニメーション］が表示部１６の表示画面（図示せず）に登場するものとする。
【００２９】
また、キャラクタ演出手段１２１はダウンロードされたＧＩＦアニメーションも登場可能としている。さらに、キャラクタ演出手段１２１はキャラクタ選択で「スタンダード」が選択された場合に動作しないように設定されている。
【００３０】
これら上側筐体と下側筐体との開閉動作は筐体開閉検知機構１９によって検知される。筐体開閉検知機構１９による開閉動作の検知は、例えば磁石を用いて上側筐体と下側筐体との開動作及び閉動作を検知する方法やマイクロスイッチのオン／オフで上側筐体と下側筐体との開動作及び閉動作を検知する方法等を使用して行われる。
【００３１】
メモリ１３は各種設定内容や暗証番号等を記憶している。タイマ１４は制御部１２によって起動されると、時間経過をカウントし始め、指定された時間が経過すると制御部１２にタイムアップを通知する。記録媒体２０は上記の各部の処理を実現するためのプログラム（コンピュータで実行可能なプログラム）を格納しており、制御部１２は記録媒体２０のプログラムを実行することで、上記の各部を制御する。
【００３２】
図２は図１のメモリ１３の構成例を示す図である。図２は折り畳み型携帯電話機１において内蔵キャラクタ＃１，＃２及びダウンロードキャラクタが表示可能な場合の構成を示しているが、内蔵キャラクタを３以上記憶する場合にも、その領域を確保することで、本実施例を適用することは可能である。
【００３３】
図２において、メモリ１３は内蔵キャラクタ＃１（通常用）の記憶領域１３１と、内蔵キャラクタ＃１（記念日用）の記憶領域１３２と、内蔵キャラクタ＃２（通常用）の記憶領域１３３と、内蔵キャラクタ＃２（記念日用）の記憶領域１３４と、ダウンロードキャラクタの記憶領域１３５とを含んで構成されている。
【００３４】
図３は図１の表示部１６の表示画面の一例を示す図である。図３において、表示部１６の表示画面１６１には折り畳み型携帯電話機１の状態に応じたメッセージを表示するメッセージ表示エリア（２行分）１６２と、アニメーションする画像を表示する画像表示エリア１６３とが設けられている。
【００３５】
図４は図１のキャラクタ演出手段１２１に対する機能設定の構成を示す図である。図４において、キャラクタ演出手段１２１に対する上述した機能のＯＮ／ＯＦＦの設定は「画面表示設定」にて行われる。
【００３６】
画面表示設定には「待ち受け画面」、「ウェイクアップ」、・・・、「キャラクタ演出」等があり、キャラクタ演出手段１２１による機能の設定は「キャラクタ演出」で行われる。この「キャラクタ演出」における機能の設定項目は、「ＯＦＦ」、「キャラクタ」、「ダウンロード」の３項目がある。この「ダウンロード」選択後、メッセージタイプの選択があり、この選択においては「標準」、「男性」、「女性」の中から選択される。
【００３７】
図５（ａ）は図２の内蔵キャラクタ＃１（通常用）の記憶領域１３１の記憶内容を示す図であり、図５（ｂ）は内蔵キャラクタ＃１（記念日用）の記憶領域１３２の記憶内容を示す図である。
【００３８】
図５（ａ）において、内蔵キャラクタ＃１（通常用）の記憶領域１３１には画像Ａ「通常時、キャラクタ＃１、パターン＃１」（Ａ１）と、画像Ｂ「通常時、キャラクタ＃１、パターン＃１」（Ｂ２）と、画像Ｃ「通常時、キャラクタ＃１、パターン＃１」（Ｃ３）と、画像Ｄ「アラート時、キャラクタ＃１、パターン＃１」（Ｄ４）と、画像Ａ「通常時、キャラクタ＃１、パターン＃２」（Ａ５）と、画像Ｂ「通常時、キャラクタ＃１、パターン＃２」（Ｂ６）と、画像Ｃ「通常時、キャラクタ＃１、パターン＃２」（Ｃ７）と、画像Ｄ「アラート時、キャラクタ＃１、パターン＃２」（Ｄ８）とが格納されている。尚、図示していないが、内蔵キャラクタ＃２（通常用）の記憶領域１３３には内蔵キャラクタ＃１（通常用）の記憶領域１３１と同じタイプのデータが格納されている。
【００３９】
図５（ｂ）において、内蔵キャラクタ＃１（記念日用）の記憶領域１３２には画像Ａ「通常時、キャラクタ＃１、パターン＃３（記念日限定）」（Ａ９）と、画像Ｂ「通常時、キャラクタ＃１、パターン＃３（記念日限定）」（Ｂ１０）と、画像Ｃ「通常時、キャラクタ＃１、パターン＃３（記念日限定）」（Ｃ１１）と、画像Ｄ「アラート時、キャラクタ＃１、パターン＃３（記念日限定）」（Ｄ１２）とが格納されている。尚、図示していないが、内蔵キャラクタ＃２（記念日用）の記憶領域１３４には内蔵キャラクタ＃１（記念日用）の記憶領域１３２と同じタイプのデータが格納されている。
【００４０】
図６は図２のダウンロードキャラクタの記憶領域１３５の記憶内容を示す図である。図６において、ダウンロードキャラクタの記憶領域１３５には画像Ａ「１コマ目」（ＤＬ−Ａ）、画像Ｂ「２コマ目」（ＤＬ−Ｂ）、画像Ｃ「３コマ目」（ＤＬ−Ｃ）、画像Ｄ「４コマ目」（ＤＬ−Ｄ）等が格納されている。
【００４１】
図７〜図９はそれぞれ図３の表示画面１６１の表示例を示す図であり、図１０（ａ）〜（ｅ）は図１のキャラクタ演出手段１２１における「発信→通話→終了時」のパターン振り分け条件を示す図であり、図１１（ａ）〜（ｅ）は図１のキャラクタ演出手段１２１における「着信→通話→終了時」のパターン振り分け条件を示す図であり、図１２（ａ）〜（ｅ）は図１のキャラクタ演出手段１２１における「不在着信、新着メール」の場合のパターン振り分け条件を示す図である。これら図１〜図１２を参照してキャラクタ演出手段１２１によるキャラクタ演出について説明する。
【００４２】
キャラクタ演出手段１２１は内蔵キャラクタが選択されている場合、図５に示すように、キャラクタ＃１用にパターン＃１、パターン＃２、パターン＃３（記念日用）があり、さらにパターンの中には４タイプのキャラクタが用意されている。キャラクタ＃２についても、キャラクタ＃１と同様に、「３パターン×４タイプ」が用意されている。
【００４３】
また、キャラクタ演出手段１２１は各場面毎にメッセージも表示するようになっており、これらを発着信履歴の件数や携帯電話機上の時刻（タイマ１４の時刻）によって変化させて登場させている。
【００４４】
キャラクタ演出手段１２１はダウンロードキャラクタが選択されている場合、ダウンロードしたＧＩＦアニメーションを４分割して使用しており、発着信履歴の件数や携帯電話機上の時刻（タイマ１４の時刻）によって変化させて登場させている。
【００４５】
キャラクタ演出手段１２１は、（１）電話発信後の終話ボタン押下時、（２）電話着信の際の終話ボタン押下時、（３）不在着信や新着メールあり時、（４）上側筐体と下側筐体とを閉状態から開状態にした時各々のイベント画面でキャラクタの演出を行う。
【００４６】
キャラクタ演出手段１２１はスケジュール機能で記念日設定に該当する日の場合、特定のキャラクタ［内蔵キャラクタ＃１（記念日用）の記憶領域１３２及び内蔵キャラクタ＃２（記念日用）の記憶領域１３４に格納しているキャラクタ］を表示する。
【００４７】
キャラクタ演出手段１２１はそれぞれ、資料の割当表（図１０〜図１２参照）にしたがったキャラクタ及びメッセージを表示する。このキャラクタ演出はエニーキー押下、５秒タイムアウトでぬけるものとする。
【００４８】
キャラクタ演出手段１２１によってキャラクタが表示されている場合にはメニューボタンやデジットボタンが押下されても、メニュー画面等には移行しない。また、キャラクタ及びコメントは図３に示すような表示位置、つまりメッセージ表示エリア１６２及び画像表示エリア１６３に表示される。
【００４９】
以下、上記の（１）〜（４）の各イベント画面でのキャラクタの演出各々の表示方法について説明する。以下の説明では各イベント画面でのキャラクタに、図５に示す内蔵キャラクタ＃１（通常用）の記憶領域１３１及び内蔵キャラクタ＃１（記念日用）の記憶領域１３２に記憶された画像、図６に示すダウンロードキャラクタの記憶領域１３５に記憶された画像等を用いるものとする。
【００５０】
キャラクタ演出手段１２１は電話発信後の終話ボタン押下時、待ち受け画面に戻る際に、キャラクタを表示画面１６１の画像表示エリア１６３に表示する。キャラクタ演出手段１２１はどのようなキャラクタを表示するかを、発信履歴、発信時の時刻から判断する。
【００５１】
キャラクタ演出手段１２１は発信履歴内に存在する同一番号の数（宛先毎の発信履歴内における発信件数）にて登場キャラクタの３タイプの何れかに、発信時の時刻（分）（奇数または偶数）にて２パターンの何れかにそれぞれ決める。
【００５２】
すなわち、図１０に示すように、内蔵キャラクタ＃１が選択され、通常時であれば、宛先毎の発信履歴内における発信件数が１〜２件の場合には、発信時の時刻（分）が奇数であれば「Ａ１」、偶数であれば「Ａ５」にそれぞれ決定される。宛先毎の発信履歴内における発信件数が３〜５件の場合には、発信時の時刻（分）が奇数であれば「Ｂ２」、偶数であれば「Ｂ６」にそれぞれ決定される。宛先毎の発信履歴内における発信件数が６件以上の場合には、発信時の時刻（分）が奇数であれば「Ｃ３」、偶数であれば「Ｃ７」にそれぞれ決定される。上記の場合には、メッセージがいずれも対応する固定のメッセージとなる。
【００５３】
内蔵キャラクタ＃１が選択され、スケジュール機能で記念日設定に該当する日であれば、宛先毎の発信履歴内における発信件数が１〜２件の場合には、発信時の時刻（分）が奇数、偶数に関係なく、「Ａ９」に決定される。宛先毎の発信履歴内における発信件数が３〜５件の場合には、発信時の時刻（分）が奇数、偶数に関係なく、「Ｂ１０」に決定される。宛先毎の発信履歴内における発信件数が６件以上の場合には、発信時の時刻（分）が奇数、偶数に関係なく、「Ｃ１１」に決定される。上記の場合には、メッセージがいずれも対応する固定のメッセージとなる。
【００５４】
また、内蔵キャラクタ＃２が選択され、通常時であれば、宛先毎の発信履歴内における発信件数が１〜２件の場合には、発信時の時刻（分）が奇数であれば「Ａ１３」、偶数であれば「Ａ１７」にそれぞれ決定される。宛先毎の発信履歴内における発信件数が３〜５件の場合には、発信時の時刻（分）が奇数であれば「Ｂ１４」、偶数であれば「Ｂ１８」にそれぞれ決定される。宛先毎の発信履歴内における発信件数が６件以上の場合には、発信時の時刻（分）が奇数であれば「Ｃ１５」、偶数であれば「Ｃ１９」にそれぞれ決定される。上記の場合には、メッセージがいずれも対応する固定のメッセージとなる。
【００５５】
内蔵キャラクタ＃２が選択され、スケジュール機能で記念日設定に該当する日であれば、宛先毎の発信履歴内における発信件数が１〜２件の場合には、発信時の時刻（分）が奇数、偶数に関係なく、「Ａ２１」に決定される。宛先毎の発信履歴内における発信件数が３〜５件の場合には、発信時の時刻（分）が奇数、偶数に関係なく、「Ｂ２２」に決定される。宛先毎の発信履歴内における発信件数が６件以上の場合には、発信時の時刻（分）が奇数、偶数に関係なく、「Ｃ２３」に決定される。上記の場合には、メッセージがいずれも対応する固定のメッセージとなる。
【００５６】
さらに、ダウンロードキャラクタが選択されていれば、宛先毎の発信履歴内における発信件数が１〜２件の場合には、発信時の時刻（分）が奇数、偶数に関係なく、「ＤＬ−Ａ」に決定される。宛先毎の発信履歴内における発信件数が３〜５件の場合には、発信時の時刻（分）が奇数、偶数に関係なく、「ＤＬ−Ｂ」に決定される。宛先毎の発信履歴内における発信件数が６件以上の場合には、発信時の時刻（分）が奇数、偶数に関係なく、「ＤＬ−Ｃ」に決定される。上記の場合には、メッセージがいずれも対応する固定のメッセージとなる。
【００５７】
キャラクタ演出手段１２１は電話着信後の終話ボタン押下時、待ち受け画面に戻る際に、キャラクタを表示画面１６１の画像表示エリア１６３に表示する。キャラクタ演出手段１２１はどのようなキャラクタを表示するかを、着信履歴、着信時の時刻から判断する。
【００５８】
キャラクタ演出手段１２１は着信履歴内に存在する同一番号の数（発信元毎の着信履歴内における着信件数）にて登場キャラクタの３タイプの何れかに、着信時の時刻（分）（奇数または偶数）にて２パターンの何れかにそれぞれ決める。
【００５９】
この電話着信後の終話ボタン押下時、待ち受け画面に戻る際に、表示画面１６１の画像表示エリア１６３に表示されるキャラクタは、図１１に示すように、上記の電話発信後のキャラクタ（図１０に示すキャラクタ）と同様である。
【００６０】
上述したキャラクタ及びメッセージは、図７に示すように、電話発信後及び電話着信後に表示画面１６１のメッセージ表示エリア１６２及び画像表示エリア１６３に表示される。図７において、メッセージとしては、キャラクタとともに、「通話相手の名前又は電話番号」、「通話時間  △△分□□秒でした。」が表示される。この場合、メッセージとしてはキャラクタの種別（「標準」、「男性」、「女性」等に応じた種別の違い等）に応じて語尾変化させたり、あるいは方言を用いたりすることが可能となっている。また、非通知（非通知設定、通知不可、公衆電話）の場合には通話相手の情報を表示せず、通話時間のみを表示させる。
【００６１】
尚、上述した電話発信後に待ち受け画面に戻る際、及び電話着信後に待ち受け画面に戻る際にはそれぞれ網側からの情報表示を優先とするため、メッセージ表示、度数表示時、理由表示等の表示を行う場合、キャラクタ演出を行わない。
【００６２】
キャラクタ演出手段１２１は不在着信ありの場合及び新着メールありの場合に、筐体開閉検知機構１９によって上側筐体と下側筐体とが閉状態から開状態へ変化したことが検知されると、キャラクタを表示し、携帯電話機開時の時刻（分）（奇数または偶数）にてキャラクタの２パターンの何れかに決める。但し、キャラクタ演出手段１２１は上側筐体と下側筐体とが開状態で、不在着信または新着メールがあってもキャラクタを表示しない。
【００６３】
すなわち、図１２に示すように、内蔵キャラクタ＃１が選択され、通常時であれば、携帯電話機の状態が「不在着信あり」の場合には携帯電話機開時の時刻（分）が奇数であれば「Ｄ４」、偶数であれば「Ｄ８」にそれぞれ決定される。「新着メールあり」の場合には携帯電話機開時の時刻（分）が奇数であれば「Ｄ４」、偶数であれば「Ｄ８」にそれぞれ決定される。「不在着信あり及び新着メールありの両方」の場合には携帯電話機開時の時刻（分）が奇数であれば「Ｄ４」、偶数であれば「Ｄ８」にそれぞれ決定される。
【００６４】
内蔵キャラクタ＃１が選択され、スケジュール機能で記念日設定に該当する日であれば、携帯電話機の状態が「不在着信あり」の場合には携帯電話機開時の時刻（分）が奇数、偶数に関係なく、「Ｄ１２」に決定される。「新着メールあり」の場合には携帯電話機開時の時刻（分）が奇数、偶数に関係なく、「Ｄ１２」に決定される。「不在着信あり及び新着メールありの両方」の場合には携帯電話機開時の時刻（分）が奇数、偶数に関係なく、「Ｄ１２」に決定される。
【００６５】
また、内蔵キャラクタ＃２が選択され、通常時であれば、携帯電話機の状態が「不在着信あり」の場合には携帯電話機開時の時刻（分）が奇数であれば「Ｄ１６」、偶数であれば「Ｄ２０」にそれぞれ決定される。「新着メールあり」の場合には携帯電話機開時の時刻（分）が奇数であれば「Ｄ１６」、偶数であれば「Ｄ２０」にそれぞれ決定される。「不在着信あり及び新着メールありの両方」の場合には携帯電話機開時の時刻（分）が奇数であれば「Ｄ１６」、偶数であれば「Ｄ２０」にそれぞれ決定される。
【００６６】
内蔵キャラクタ＃２が選択され、スケジュール機能で記念日設定に該当する日であれば、携帯電話機の状態が「不在着信あり」の場合には携帯電話機開時の時刻（分）が奇数、偶数に関係なく、「Ｄ２４」に決定される。「新着メールあり」の場合には携帯電話機開時の時刻（分）が奇数、偶数に関係なく、「Ｄ２４」に決定される。「不在着信あり及び新着メールありの両方」の場合には携帯電話機開時の時刻（分）が奇数、偶数に関係なく、「Ｄ２４」に決定される。
【００６７】
さらに、ダウンロードキャラクタが選択されていれば、携帯電話機の状態が「不在着信あり」の場合には携帯電話機開時の時刻（分）が奇数、偶数に関係なく、「ＤＬ−Ｄ」に決定される。「新着メールあり」の場合には携帯電話機開時の時刻（分）が奇数、偶数に関係なく、「ＤＬ−Ｄ」に決定される。「不在着信あり及び新着メールありの両方」の場合には携帯電話機開時の時刻（分）が奇数、偶数に関係なく、「ＤＬ−Ｄ」に決定される。
【００６８】
上述したキャラクタ及びメッセージは、図８に示すように、電話発信後及び電話着信後に表示画面１６１のメッセージ表示エリア１６２及び画像表示エリア１６３に表示される。図８において、メッセージとしては、キャラクタとともに、「電話あったよ」、「メール来ているよ」の２つのメッセージのいずれかが表示される。「不在着信あり」、「新着メールあり」の両方の場合には、両方のメッセージを同時に表示する。
【００６９】
この場合、メッセージとしてはキャラクタの種別（「標準」、「男性」、「女性」等に応じた種別の違い等）に応じて語尾変化させたり、あるいは方言を用いたり、メッセージ内容を変えたりすることが可能となっている。
【００７０】
キャラクタ演出手段１２１は筐体開閉検知機構１９によって上側筐体と下側筐体とが閉状態から開状態へ変化したことが検知されると、キャラクタ演出を行うが、携帯電話機開時の時刻（分）によってそのキャラクタ表示における表示条件が異なる。この場合には、図９に示すように、日時「４月１１日  １２：３４」、メッセージ「お待ちしておりました」、キャラクタが表示される。但し、キャラクタは携帯電話機開時に毎回表示するのではなく、表示しない時間帯も存在する。この表示に関しては分の１０の位及び１の位でランダム性を持たしている。
【００７１】
上述した各キャラクタ表示時の優先順位は、「不在着信、新着メールがあった時」＞「上側筐体と下側筐体とが閉状態から開状態へ変化した時」＞「通常の開閉時」となり、その優先順位に基づいてキャラクタのアニメーションが行われる。但し、オート表示や優先コール設定時には、上側筐体と下側筐体とが閉状態から開状態へ変化した時のキャラクタ演出を行わない。
【００７２】
キャラクタ演出手段１２１はスケジュール機能で記念日設定に該当する日の場合、特定のキャラクタを表示し、ダウンロード指定されていても、記念日には特定の内蔵キャラクタを表示する。
【００７３】
また、キャラクタ演出手段１２１はサウンドモード設定中でもキャラクタ演出を行う。これは５秒間の表示であるためである。キャラクタ演出手段１２１はバイリンガルモード時に、英語ワーディングのメッセージを表示する。上述したメッセージはブラウザでもキャラクタ演出が行われるので、情報を通知する必要があるために表示される。
【００７４】
図１３〜図１５は図１のキャラクタ演出手段１２１による演出キャラクタ表示判定処理を示すフローチャートである。これら図１〜図１５を参照してキャラクタ演出手段１２１によるキャラクタ演出について説明する。尚、図１３〜図１５に示す処理は制御部１２が記録媒体２０のプログラムを実行することで実現される。
【００７５】
キャラクタ演出手段１２１は発信処理や着信処理が行われたこと、不在着信ありの場合及び新着メールありの場合に筐体開閉検知機構１９にて上側筐体と下側筐体とが閉状態から開状態へ変化したことが検知されたこと、通常時に筐体開閉検知機構１９にて上側筐体と下側筐体とが閉状態から開状態へ変化したことが検知されたこと等が制御部１２で検出された時に起動され、下記の演出キャラクタ表示判定処理を実行する。
【００７６】
キャラクタ演出手段１２１は演出キャラクタ表示判定を行う際に、キャラクタ選択の判定を行い（図１３ステップＳ１）、スタンダードが選択されれば、キャラクタ演出表示を無効とする（図１３ステップＳ３）。
【００７７】
また、キャラクタ演出手段１２１はキャラクタが選択されれば、画面表示設定でのキャラクタ演出の判定を行い（図１３ステップＳ２）、ＯＦＦ設定であれば、キャラクタ演出表示を無効とする（図１３ステップＳ３）。
【００７８】
キャラクタ演出手段１２１は画面表示設定でのキャラクタ演出が内蔵キャラクタであれば、「スケジュール機能における記念日設定＝移動機の時計の日付」か否かを判定する（図１３ステップＳ４）。
【００７９】
キャラクタ演出手段１２１は「スケジュール機能における記念日設定＝移動機の時計の日付」でなければ、キャラクタ選択の判定でキャラクタ＃１が選択されていれば（図１３ステップＳ５）、キャラクタ演出表示を有効とし（図１３ステップＳ６）、キャラクタ演出画像を通常用キャラクタ＃１とし（図１３ステップＳ７）、キャラクタ演出メッセージをキャラクタ＃１用メッセージとする（図１３ステップＳ８）。
【００８０】
キャラクタ演出手段１２１はキャラクタ選択の判定でキャラクタ＃２が選択されていれば（図１３ステップＳ５）、キャラクタ演出表示を有効とし（図１３ステップＳ９）、キャラクタ演出画像を通常用キャラクタ＃２とし（図１３ステップＳ１０）、キャラクタ演出メッセージをキャラクタ＃２用メッセージとする（図１３ステップＳ１１）。
【００８１】
キャラクタ演出手段１２１は画面表示設定でのキャラクタ演出がオリジナルイメージ［ＤＬ（ダウンロード）キャラ］であれば、「スケジュール機能における記念日設定＝移動機の時計の日付」か否かを判定する（図１４ステップＳ１２）。
【００８２】
キャラクタ演出手段１２１は「スケジュール機能における記念日設定＝移動機の時計の日付」でなければ、キャラクタ演出表示を有効とし（図１４ステップＳ１３）、キャラクタ演出画像をダウンロードキャラクタとする（図１４ステップＳ１４）。
【００８３】
続いて、キャラクタ演出手段１２１は画面表示設定でのキャラクタ演出オリジナルイメージ用メッセージの判定を行い（図１４ステップＳ１５）、パターン＃１であれば、キャラクタ演出メッセージをダウンロードキャラクタ用パターン＃１とし（図１４ステップＳ１６）、パターン＃２であれば、キャラクタ演出メッセージをダウンロードキャラクタ用パターン＃２とし（図１４ステップＳ１７）、パターン＃３であれば、キャラクタ演出メッセージをダウンロードキャラクタ用パターン＃３とする（図１４ステップＳ１８）。
【００８４】
キャラクタ演出手段１２１は上記のステップＳ４，Ｓ１２において、「スケジュール機能における記念日設定＝移動機の時計の日付」であれば、キャラクタ選択の判定でキャラクタ＃１と判定されると（図１５ステップＳ１９）、キャラクタ演出表示を有効とし（図１５ステップＳ２０）、キャラクタ演出画像を記念日用キャラクタ＃１とし（図１５ステップＳ２１）、キャラクタ演出メッセージをキャラクタ＃１用メッセージとする（図１３ステップＳ８）。
【００８５】
キャラクタ演出手段１２１はキャラクタ選択の判定でキャラクタ＃２と判定されると（図１５ステップＳ１９）、キャラクタ演出表示を有効とし（図１５ステップＳ２２）、キャラクタ演出画像を記念日用キャラクタ＃２とし（図１５ステップＳ２３）、キャラクタ演出メッセージをキャラクタ＃２用メッセージとする（図１３ステップＳ１１）。
【００８６】
このように、本実施例では、キャラクタ演出手段１２１が発信履歴内に存在する同一番号の数（宛先毎の発信履歴内における発信件数）にて登場キャラクタの３タイプの何れかに、発信時の時刻（分）（奇数または偶数）にて２パターンの何れかにそれぞれ決めることによって、メモリ１３において多大な記憶領域を占有することなくかつ設定操作を毎回行うことなく、アニメーション表示の表示パターン数を増大させることができる。
【００８７】
また、本実施例では、キャラクタ演出手段１２１が着信履歴内に存在する同一番号の数（発信元毎の着信履歴内における着信件数）にて登場キャラクタの３タイプの何れかに、着信時の時刻（分）（奇数または偶数）にて２パターンの何れかにそれぞれ決めることによって、メモリ１３において多大な記憶領域を占有することなくかつ設定操作を毎回行うことなく、アニメーション表示の表示パターン数を増大させることができる。
【００８８】
さらに、本実施例では、キャラクタ演出手段１２１が不在着信ありの場合及び新着メールありの場合に、筐体開閉検知機構１９によって上側筐体と下側筐体とが閉状態から開状態へ変化したことが検知されると、キャラクタを表示し、移動機開時の時刻（分）（奇数または偶数）にてキャラクタの２パターンの何れかに決めることによって、メモリ１３において多大な記憶領域を占有することなくかつ設定操作を毎回行うことなく、アニメーション表示の表示パターン数を増大させることができる。
【００８９】
さらにまた、本実施例では、キャラクタ演出手段１２１が筐体開閉検知機構１９によって上側筐体と下側筐体とが閉状態から開状態へ変化したことが検知されると、キャラクタ演出を行うが、携帯電話機開時の時刻（分）によってそのキャラクタ表示における表示条件を可変することによって、メモリ１３において多大な記憶領域を占有することなくかつ設定操作を毎回行うことなく、アニメーション表示の表示パターン数を増大させることができる。
【００９０】
尚、本実施例では折り畳み型携帯電話機１について述べたが、上側筐体と下側筐体とが一体化された携帯電話機、あるいは左右に開閉される折り畳み型携帯電話機等にも適用可能である。また、本実施例では履歴情報と発生時刻との組合わせてキャラクタの決定を行う方法について述べたが、履歴情報のみを基にキャラクタの決定を行っても、発生時刻のみを基にキャラクタの決定を行ってもよく、これに限定されない。
【００９１】
図１６〜図１８は本発明の他の実施例による内蔵キャラクタの場合に送信成功したメール送信時の表示キャラクタ及びメッセージの組合せを示す図である。図１６〜図１８においては、時刻（分）と、画像のタイプと、メッセージのタイプとの組合せ例を示している。
【００９２】
図１６〜図１８において、時刻（分）「００」の場合には組合せ番号が「００」、画像のタイプが「キャラ画像Ａ１」、メッセージのタイプが「メッセージ＃１」となる。「メッセージ＃１」は「早く届くといいね！」が日本語メッセージとして、「Ｈｏｐｅ  ｔｈｅ  ｍａｉｌ  ｗｉｌｌ  ｂｅ  ｄｅｌｉｖｅｒｅｄ  ｓｏｏｎ！」が英語メッセージとして対応付けられている。
【００９３】
時刻（分）「０１」の場合には組合せ番号が「０１」、画像のタイプが「キャラ画像Ａ１」、メッセージのタイプが「メッセージ＃２」となる。「メッセージ＃２」は「僕もいっぱいお手紙書くんだ！」が日本語メッセージとして、「Ｉ’ｌｌ  ｗｒｉｔｅ  ａ  ｌｏｔ！」が英語メッセージとして対応付けられている。
【００９４】
時刻（分）「０２」の場合には組合せ番号が「０２」、画像のタイプが「キャラ画像Ａ１」、メッセージのタイプが「メッセージ＃３」となる。「メッセージ＃３」は「お手紙送ったよ！たのしみだね！」が日本語メッセージとして、「Ｏｈ！Ｃａｎ’ｔ  ｗａｉｔ  ｆｏｒ  ｔｈｅ  ｒｅｐｌｙ！」が英語メッセージとして対応付けられている。
【００９５】
時刻（分）「０３」の場合には組合せ番号が「０３」、画像のタイプが「キャラ画像Ａ１」、メッセージのタイプが「メッセージ＃４」となる。「メッセージ＃４」は「ふふふ、誰に送ったの？」が日本語メッセージとして、「Ｗｈｏ  ｄｉｄ  ｙｏｕ  ｍａｉｌ  ｔｏ？」が英語メッセージとして対応付けられている。
【００９６】
時刻（分）「０４」の場合には組合せ番号が「０４」、画像のタイプが「キャラ画像Ａ１」、メッセージのタイプが「メッセージ＃５」となる。「メッセージ＃５」は「ねえ、どんなこと書いたの？」が日本語メッセージとして、「Ｏｈ…ｗｈａｔ  ｄｉｄ  ｙｏｕ  ｗｒｉｔｅ  ｉｎ  ｔｈｅ  ｍａｉｌ？」が英語メッセージとして対応付けられている。
【００９７】
時刻（分）「０５」の場合には組合せ番号が「０５」、画像のタイプが「キャラ画像Ａ１」、メッセージのタイプが「メッセージ＃６」となる。「メッセージ＃６」は「やあ！ちゃんと送ったよ」が日本語メッセージとして、「Ｉ’ｖｅ  ｄｅｌｉｖｅｒｅｄ  ｊｕｓｔ  ｆｉｎｅ」が英語メッセージとして対応付けられている。
【００９８】
時刻（分）「０６」の場合には組合せ番号が「０６」、画像のタイプが「キャラ画像Ａ１」、メッセージのタイプが「メッセージ＃７」となる。「メッセージ＃７」は「うふふふふ、僕もお手紙書こうかな」が日本語メッセージとして、「Ｈｍｍ…ｈｏｗ  ａｂｏｕｔ  ｗｒｉｔｉｎｇ  ｍａｉｌ」が英語メッセージとして対応付けられている。
【００９９】
時刻（分）「０７」の場合には組合せ番号が「０７」、画像のタイプが「キャラ画像Ａ１」、メッセージのタイプが「メッセージ＃８」となる。「メッセージ＃８」は「お手紙ってたのしいね！」が日本語メッセージとして、「Ｉ  ｌｉｋｅ  ｗｒｉｔｉｎｇ  ｔｏ  ｍｙ  ｆｒｉｅｎｄｓ」が英語メッセージとして対応付けられている。
【０１００】
時刻（分）「０８」の場合には組合せ番号が「０８」、画像のタイプが「キャラ画像Ａ１」、メッセージのタイプが「メッセージ＃９」となる。「メッセージ＃９」は「届いたら喜ぶかなあ？」が日本語メッセージとして、「Ｉｔ’ｓ  ｆｕｎ  ｅｘｃｈａｎｇｉｎｇ  ｍａｉｌｓ」が英語メッセージとして対応付けられている。
【０１０１】
時刻（分）「０９」の場合には組合せ番号が「０９」、画像のタイプが「キャラ画像Ａ１」、メッセージのタイプが「メッセージ＃１０」となる。「メッセージ＃１０」は「僕もお手紙もらいたいなあ」が日本語メッセージとして、「Ｉ  ｈｏｐｅ  ｓｏｍｅ  ｏｎｅ  ｗｉｌｌ  ｗｒｉｔｅ  ｔｏ  ｍｅ」が英語メッセージとして対応付けられている。
【０１０２】
時刻（分）「１０」〜「１９」の場合には画像のタイプが「キャラ画像Ａ５」になる以外は、時刻（分）「００」〜「０９」各々の場合のメッセージ＃１〜＃１０と同様であり、時刻（分）「２０」〜「２９」の場合には画像のタイプが「キャラ画像Ｂ２」になる以外は、時刻（分）「００」〜「０９」各々の場合のメッセージ＃１〜＃１０と同様であり、時刻（分）「３０」〜「３９」の場合には画像のタイプが「キャラ画像Ｂ６」になる以外は、時刻（分）「００」〜「０９」各々の場合のメッセージ＃１〜＃１０と同様である。
【０１０３】
同様に、時刻（分）「４０」〜「４９」の場合には画像のタイプが「キャラ画像Ｃ３」になる以外は、時刻（分）「００」〜「０９」各々の場合のメッセージ＃１〜＃１０と同様であり、時刻（分）「５０」〜「５９」の場合には画像のタイプが「キャラ画像Ｃ７」になる以外は、時刻（分）「００」〜「０９」各々の場合のメッセージ＃１〜＃１０と同様である。
【０１０４】
図１９〜図２１は本発明の他の実施例による内蔵キャラクタの場合に送信失敗したメール送信時の表示キャラクタ及びメッセージの組合せを示す図である。図１９〜図２１においては、時刻（分）と、画像のタイプと、メッセージのタイプとの組合せ例を示している。
【０１０５】
図１９〜図２１において、時刻（分）「００」の場合には組合せ番号が「００」、画像のタイプが「キャラ画像Ｄ４」、メッセージのタイプが「メッセージ＃１１」となる。「メッセージ＃１１」は「あれっ、どうしたんだろう？」が日本語メッセージとして、「Ｏｈ  ｄｅａｒ，ｗｈａｔ  ｃｏｕｌｄ  ｈａｖｅ  ｇｏｎｅ  ｗｒｏｎｇ？」が英語メッセージとして対応付けられている。
【０１０６】
時刻（分）「０１」の場合には組合せ番号が「０１」、画像のタイプが「キャラ画像Ｄ４」、メッセージのタイプが「メッセージ＃１２」となる。「メッセージ＃１２」は「おや、うまく送れなかったよ」が日本語メッセージとして、「Ｈｍ？Ｓｏｍｅｔｈｉｎｇ’ｓ  ｗｒｏｎｇ」が英語メッセージとして対応付けられている。
【０１０７】
時刻（分）「０２」の場合には組合せ番号が「０２」、画像のタイプが「キャラ画像Ｄ４」、メッセージのタイプが「メッセージ＃１３」となる。「メッセージ＃１３」は「おかしいな？送れなかったみたいだよ」が日本語メッセージとして、「Ｈｍｍ…  ｔｈａｔ’ｓ  ｓｔｒａｎｇｅ」が英語メッセージとして対応付けられている。
【０１０８】
時刻（分）「０３」の場合には組合せ番号が「０３」、画像のタイプが「キャラ画像Ｄ４」、メッセージのタイプが「メッセージ＃１１」となる。時刻（分）「０４」の場合には組合せ番号が「０４」、画像のタイプが「キャラ画像Ｄ４」、メッセージのタイプが「メッセージ＃１２」となる。時刻（分）「０５」の場合には組合せ番号が「０５」、画像のタイプが「キャラ画像Ｄ４」、メッセージのタイプが「メッセージ＃１３」となる。
【０１０９】
時刻（分）「０６」の場合には組合せ番号が「０６」、画像のタイプが「キャラ画像Ｄ４」、メッセージのタイプが「メッセージ＃１１」となる。時刻（分）「０７」の場合には組合せ番号が「０７」、画像のタイプが「キャラ画像Ｄ４」、メッセージのタイプが「メッセージ＃１２」となる。時刻（分）「０８」の場合には組合せ番号が「０８」、画像のタイプが「キャラ画像Ｄ４」、メッセージのタイプが「メッセージ＃１３」となる。時刻（分）「０９」の場合には組合せ番号が「０９」、画像のタイプが「キャラ画像Ｄ４」、メッセージのタイプが「メッセージ＃１１」となる。
【０１１０】
時刻（分）「１０」〜「１９」の場合には画像のタイプが「キャラ画像Ｄ８」になる以外は、時刻（分）「００」〜「０９」各々の場合のメッセージ＃１１〜＃１３と同様であり、時刻（分）「２０」〜「２９」の場合には画像のタイプが「キャラ画像Ｄ４」になる以外は、時刻（分）「００」〜「０９」各々の場合のメッセージ＃１１〜＃１３と同様であり、時刻（分）「３０」〜「３９」の場合には画像のタイプが「キャラ画像Ｄ８」になる以外は、時刻（分）「００」〜「０９」各々の場合のメッセージ＃１１〜＃１３と同様である。
【０１１１】
同様に、時刻（分）「４０」〜「４９」の場合には画像のタイプが「キャラ画像Ｄ４」になる以外は、時刻（分）「００」〜「０９」各々の場合のメッセージ＃１１〜＃１３と同様であり、時刻（分）「５０」〜「５９」の場合には画像のタイプが「キャラ画像Ｄ８」になる以外は、時刻（分）「００」〜「０９」各々の場合のメッセージ＃１１〜＃１３と同様である。
【０１１２】
図２２〜図２４は本発明の他の実施例による内蔵キャラクタ特定日限定の場合に送信成功したメール送信時の表示キャラクタ及びメッセージの組合せを示す図である。図２２〜図２４においては、時刻（分）と、画像のタイプと、メッセージのタイプとの組合せ例を示している。
【０１１３】
図２２〜図２４において、時刻（分）「００」〜「０９」の場合には画像のタイプが「キャラ画像Ａ９」になる以外は、上述した図１６の時刻（分）「００」〜「０９」各々の場合のメッセージ＃１〜＃１０と同様であり、時刻（分）「１０」〜「１９」の場合には画像のタイプが「キャラ画像Ｂ１０」になる以外は、図１６の時刻（分）「００」〜「０９」各々の場合のメッセージ＃１〜＃１０と同様であり、時刻（分）「２０」〜「２９」の場合には画像のタイプが「キャラ画像Ｃ１１」になる以外は、図１６の時刻（分）「００」〜「０９」各々の場合のメッセージ＃１〜＃１０と同様である。
【０１１４】
時刻（分）「３０」〜「３９」の場合、時刻（分）「４０」〜「４９」の場合、時刻（分）「５０」〜「５９」の場合にはそれぞれ、上記の時刻（分）「００」〜「０９」の場合、時刻（分）「１０」〜「１９」の場合、時刻（分）「２０」〜「２９」の場合と同様である。
【０１１５】
図２５〜図２７は本発明の他の実施例による内蔵キャラクタ特定日限定の場合に送信失敗したメール送信時の表示キャラクタ及びメッセージの組合せを示す図である。図２５〜図２７においては、時刻（分）と、画像のタイプと、メッセージのタイプとの組合せ例を示している。
【０１１６】
図２５〜図２７において、時刻（分）「００」〜「０９」の場合、時刻（分）「１０」〜「１９」の場合、時刻（分）「２０」〜「２９」の場合、時刻（分）「３０」〜「３９」の場合、時刻（分）「４０」〜「４９」の場合、時刻（分）「５０」〜「５９」の場合にはそれぞれ、画像のタイプが「キャラ画像Ｄ１２」になる以外は、上述した図１９の時刻（分）「００」〜「０９」各々の場合のメッセージ＃１１〜＃１３と同様である。
【０１１７】
尚、本発明の他の実施例による携帯電話機は、図１〜図３に示す本発明の一実施例による携帯電話機と同様の構成となっているので、これら図１〜図３と図１６〜図２７とを参照して本発明の他の実施例による携帯電話機の動作について説明する。
【０１１８】
キャラクタ演出手段１２１はメール送信終了後に、キャラクタを表示画面１６１の表示エリア１６３に表示する。キャラクタ演出手段１２１はどのようなキャラクタを表示するかを、メール送信時の時刻及びそのメール送信の成功失敗から判断する。
【０１１９】
キャラクタ演出手段１２１は通常時の場合、送信時刻（分）（偶数又は奇数）の１０の位にて、２パターンの何れかに決定し、特定日の場合に専用のキャラクタを表示するようにする。また、キャラクタ演出手段１２１はメール送信の成功失敗の判断も行い、その判断結果にしたがって表示するキャラクタを決定する。
【０１２０】
キャラクタ演出手段１２１は送信時刻（分）の１の位にて、キャラクタと一緒に表示するメッセージを決定する。つまり、キャラクタ演出手段１２１は内蔵キャラクタ＃１を選択し、通常時であれば、送信時刻（分）の１０の位が奇数で送信成功ならば、キャラ画像Ａ５，Ｂ６，Ｃ７の何れかを表示し、偶数で送信成功ならば、キャラ画像Ａ１、Ｂ２、Ｃ３の何れかを表示する。メッセージは送信時刻（分）の１の位に該当するメッセージ＃１〜＃１０を表示する。
【０１２１】
例えば、「１２時３４分」にメールを送信し、送信成功の場合には、図１７に示す対応から、キャラクタとして「キャラ画像Ｂ６」を、メッセージとして「メッセージ＃５」を表示する。ちなみに、失敗の場合には、図２０に示す対応から、キャラクタとして「キャラ画像Ｄ８」を、メッセージとして「メッセージ＃１２」を表示する。
【０１２２】
また、特定日に送信していた場合には、成功時に、図２３に示す対応から、キャラクタとして「キャラ画像Ａ９」を、メッセージとして「メッセージ＃５」を表示し、失敗時に、図２６に示す対応から、キャラクタとして「キャラ画像Ｄ１２」を、メッセージとして「メッセージ＃１２」を表示する。
【０１２３】
上記のように、本実施例では、各イベント毎にキャラクタを持っているのではなく、内蔵のキャラクタまたはダウンロードしたキャラクタを各イベント毎にランダムに使用するため、上述した電話の発着信や本体閉→開時だけでなく、メール関係についても、上記のキャラクタが使用可能となる。
【０１２４】
また、本実施例では、キャラクタの画像データ用に比べると、キャラクタと一緒に表示するメッセージのデータ量が少なくて済むので、メッセージを増やしてさらに複雑化しているように見せることも可能である。
【図面の簡単な説明】
【０１２５】
【図１】本発明の一実施例による携帯電話機の構成を示すブロック図である。
【図２】図１のメモリの構成例を示す図である。
【図３】図１の表示部の表示画面の一例を示す図である。
【図４】図１のキャラクタ演出手段に対する機能設定の構成を示す図である。
【図５】（ａ）は図２の内蔵キャラクタ＃１（通常用）の記憶領域の記憶内容を示す図、（ｂ）は内蔵キャラクタ＃１（記念日用）の記憶領域の記憶内容を示す図である。
【図６】図２のダウンロードキャラクタの記憶領域の記憶内容を示す図である。
【図７】図３の表示画面の表示例を示す図である。
【図８】図３の表示画面の表示例を示す図である。
【図９】図３の表示画面の表示例を示す図である。
【図１０】（ａ）〜（ｅ）は図１のキャラクタ演出手段における「発信→通話→終了時」のパターン振り分け条件を示す図である。
【図１１】（ａ）〜（ｅ）は図１のキャラクタ演出手段における「着信→通話→終了時」のパターン振り分け条件を示す図である。
【図１２】（ａ）〜（ｅ）は図１のキャラクタ演出手段における「不在着信、新着メール」の場合のパターン振り分け条件を示す図である。
【図１３】図１のキャラクタ演出手段による演出キャラクタ表示判定処理を示すフローチャートである。
【図１４】図１のキャラクタ演出手段による演出キャラクタ表示判定処理を示すフローチャートである。
【図１５】図１のキャラクタ演出手段による演出キャラクタ表示判定処理を示すフローチャートである。
【図１６】本発明の他の実施例による内蔵キャラクタの場合に送信成功したメール送信時の表示キャラクタ及びメッセージの組合せを示す図である。
【図１７】本発明の他の実施例による内蔵キャラクタの場合に送信成功したメール送信時の表示キャラクタ及びメッセージの組合せを示す図である。
【図１８】本発明の他の実施例による内蔵キャラクタの場合に送信成功したメール送信時の表示キャラクタ及びメッセージの組合せを示す図である。
【図１９】本発明の他の実施例による内蔵キャラクタの場合に送信失敗したメール送信時の表示キャラクタ及びメッセージの組合せを示す図である。
【図２０】本発明の他の実施例による内蔵キャラクタの場合に送信失敗したメール送信時の表示キャラクタ及びメッセージの組合せを示す図である。
【図２１】本発明の他の実施例による内蔵キャラクタの場合に送信失敗したメール送信時の表示キャラクタ及びメッセージの組合せを示す図である。
【図２２】本発明の他の実施例による内蔵キャラクタ特定日限定の場合に送信成功したメール送信時の表示キャラクタ及びメッセージの組合せを示す図である。
【図２３】本発明の他の実施例による内蔵キャラクタ特定日限定の場合に送信成功したメール送信時の表示キャラクタ及びメッセージの組合せを示す図である。
【図２４】本発明の他の実施例による内蔵キャラクタ特定日限定の場合に送信成功したメール送信時の表示キャラクタ及びメッセージの組合せを示す図である。
【図２５】本発明の他の実施例による内蔵キャラクタ特定日限定の場合に送信失敗したメール送信時の表示キャラクタ及びメッセージの組合せを示す図である。
【図２６】本発明の他の実施例による内蔵キャラクタ特定日限定の場合に送信失敗したメール送信時の表示キャラクタ及びメッセージの組合せを示す図である。
【図２７】本発明の他の実施例による内蔵キャラクタ特定日限定の場合に送信失敗したメール送信時の表示キャラクタ及びメッセージの組合せを示す図である。
【符号の説明】
【０１２６】
１  折り畳み型携帯電話機
１１  アンテナ
１２  制御部
１３  メモリ
１４  タイマ
１５  キー操作部
１６  表示部
１７  無線部
１８  信号処理部
１９  筐体開閉検知機構
２０  記録媒体
２１  スピーカ
２２  マイク
１３１  内蔵キャラクタ＃１（通常用）の記憶領域
１３２  内蔵キャラクタ＃１（記念日用）の記憶領域
１３３  内蔵キャラクタ＃２（通常用）の記憶領域
１３４  内蔵キャラクタ＃２（記念日用）の記憶領域
１３５  ダウンロードキャラクタの記憶領域
１６１  表示画面
１６２  メッセージをメッセージ表示エリア
１６３  画像表示エリア
【図１】
2006222995.tif 000003
【図２】
2006222995.tif 000004
【図３】
2006222995.tif 000005
【図４】
2006222995.tif 000006
【図５】
2006222995.tif 000007
【図６】
2006222995.tif 000008
【図７】
2006222995.tif 000009
【図８】
2006222995.tif 000010
【図９】
2006222995.tif 000011
【図１０】
2006222995.tif 000012
【図１１】
2006222995.tif 000013
【図１２】
2006222995.tif 000014
【図１３】
2006222995.tif 000015
【図１４】
2006222995.tif 000016
【図１５】
2006222995.tif 000017
【図１６】
2006222995.tif 000018
【図１７】
2006222995.tif 000019
【図１８】
2006222995.tif 000020
【図１９】
2006222995.tif 000021
【図２０】
2006222995.tif 000022
【図２１】
2006222995.tif 000023
【図２２】
2006222995.tif 000024
【図２３】
2006222995.tif 000025
【図２４】
2006222995.tif 000026
【図２５】
2006222995.tif 000027
【図２６】
2006222995.tif 000028
【図２７】
2006222995.tif 000029